(57)【要約】【課題】筋肉痛、肩こり、皺とり、育毛等に効果があり、贅肉を解消して美白な小顔を作り出すことができるローラマッサージ器を提供する。【解決手段】把持部２０と、把持部２０に対して回転可能に設けられたローラ部１０とを備える。ローラ部１０は、棒状で、皮膚に接触する６つの接触面１２を備えている。各接触面１２には粒状の半導体１５が取付けられている。半導体１５は、ゲルマニウム半導体膜からなるｐ型半導体が好ましい。【選択図】図１
2008119181.tif 000002
【特許請求の範囲】
【請求項１】
把持部と、該把持部に対して回転可能に設けられたローラ部とを備え、前記ローラ部が皮膚に接触する６面を備えた棒状であり、前記各６面に粒状の半導体が取付けられていることを特徴とするローラマッサージ器。
【請求項２】
前記粒状の半導体が、ｐ型半導体であることを特徴とする請求項１に記載のローラマッサージ器。
【請求項３】
前記粒状の半導体が、ゲルマニウム半導体薄膜からなることを特徴とする請求項１又は２に記載のローラマッサージ器。
【請求項４】
前記粒状の半導体が、半球状であることを特徴とする請求項１乃至３の何れかに記載のローラマッサージ器。
【請求項５】
前記粒状の半導体が、直径５〜１０ｍｍの半球状であることを特徴とする請求項１乃至４の何れかに記載のローラマッサージ器。
【請求項６】
前記ローラ部の前記６面を構成する各面が、８〜１５ｍｍの幅を備えてなることを特徴とする請求項１乃至５の何れかに記載のローラマッサージ器。
【請求項７】
前記ローラ部の材質が、アルミであることを特徴とする請求項１乃至６の何れかに記載のローラマッサージ器。
【請求項８】
前記把持部が、前記ローラ部と同一の軸芯を持つ棒状であることを特徴とする請求項１乃至７の何れかに記載のローラマッサージ器。
【発明の詳細な説明】
【技術分野】
【０００１】
本発明は、贅肉を刺激してスマートな痩身体とするローラマッサージ器に関し、特に、美白な小顔を作り出すことができるローラマッサージ器に関する。
【背景技術】
【０００２】
一般に、半導体を皮膚に接触させると血行が促進されることが知られており、筋肉痛や肩こりの治療に効果があり、また、皺とりや育毛にも有効であることが知られている。例えば、特許文献１には、成型体の表面にｐ型半導体の薄膜を形成し、これをプラスターやバンドにより人体の圧痛点に接触させる治療法が紹介されている。また、パック剤やスキンクリームに粉末状のｐ型半導体を加えて用いることにより、皮膚内部の血流が増加し活性化して、皺とりや育毛に著しい効果を生ずることが紹介されている。
【０００３】
このように、顔面の皺とりや頭部の育毛に用いる場合には、粉末状のｐ型半導体をパック剤や育毛剤と混合して使用することになる。しかしながら、パックをするためには相当の時間を要するために、手軽に使用することはできない。また、育毛剤の多くは透明で揮発性の液体であり、粉末状のｐ型半導体を混合することは不適当である。さらに、クリーム状の育毛剤は洗髪時に使用するものであり、粉末状のｐ型半導体を混合しても大きな効果は期待できない。
【０００４】
一方、贅肉の溜まっている部分に適度な刺激を加えることにより、痩身体に変身できることが知られている。例えば、特許文献２は、回転打撃を与えるローラマッサージ器が提案されており、皮膚面に適度な押圧力と共鳴振動を与えると、贅肉のマイナス静電気が放電し、痩身ボディを形成することが紹介されている。しかしながら、単に物理的な刺激のみではその効果も限られている。また、顔面に使用する場合には、よりソフトな刺激で大きな効果を得るものが望ましい。
【特許文献１】特開平５−３３７１９２号公報
【特許文献２】特開平６−１９００１４号公報
【発明の開示】
【発明が解決しようとする課題】
【０００５】
本発明の目的は、短時間で手軽に利用できるｐ型半導体の利用方法を提案することにある。そして、例えば、筋肉痛、肩こり、皺とり又は育毛に大きな効果が得られる利用方法を提案することにある。また、贅肉の解消に効果的であり、顔面にも利用できるローラマッサージ器を提案することにある。さらに、美白な小顔を作り出すことができるローラマッサージ器を提案することにある。
【課題を解決するための手段】
【０００６】
上記の課題を解決するために、本発明の請求項１に係るローラマッサージ器は、把持部と、該把持部に対して回転可能に設けられたローラ部とを備え、前記ローラ部が皮膚に接触する６面を備えた棒状であり、前記各６面に粒状の半導体が取付けられている手段を採用している。
【０００７】
また、本発明の請求項２に係るローラマッサージ器は、請求項１に記載のローラマッサージ器において、前記粒状の半導体が、ｐ型半導体である手段を採用している。また、本発明の請求項３に係るローラマッサージ器は、請求項１又は２に記載のローラマッサージ器において、前記粒状の半導体が、ゲルマニウム半導体薄膜からなる手段を採用している。また、本発明の請求項４に係るローラマッサージ器は、請求項１乃至３の何れかに記載のローラマッサージ器において、前記粒状の半導体が、半球状である手段を採用している。また、本発明の請求項５に係るローラマッサージ器は、請求項１乃至４の何れかに記載のローラマッサージ器において、前記粒状の半導体が、直径５〜１０ｍｍの半球状である手段を採用している。
【０００８】
本発明の請求項６に係るローラマッサージ器は、請求項１乃至５の何れかに記載のローラマッサージ器において、前記ローラ部の前記６面を構成する各面が、８〜１５ｍｍの幅を備えてなる手段を採用している。また、本発明の請求項７に係るローラマッサージ器は、請求項１乃至６の何れかに記載のローラマッサージ器において、前記ローラ部の材質がアルミである手段を採用している。また、本発明の請求項８に係るローラマッサージ器は、請求項１乃至７の何れかに記載のローラマッサージ器において、前記把持部が、前記ローラ部と同一の軸芯を持つ棒状である手段を採用している。
【発明の効果】
【０００９】
本発明のローラマッサージ器は、上記の手段を採用することにより、ｐ型半導体の働きを短時間で手軽に利用できる。これにより筋肉痛、肩こり、皺とり又は育毛に大きな効果を得ることができる。また、贅肉の解消に効果的であり、顔面にも利用できるので、美白な小顔を作り出すことができる。
【発明を実施するための最良の形態】
【００１０】
以下、添付の図１〜５を参照して、本発明の実施の一例を説明する。本発明のローラマッサージ器１の平面図を図１に、正面図を図２に、左側面図を図３に示す。また、分解斜視図を図４に、断面図を図５に示す。
【００１１】
最初に、本発明のローラマッサージ器１について、その概略構造及び機能を説明する。本発明のローラマッサージ器１は、棒状の把持部２０と、皮膚に接触する６つの接触面１２を備えた棒状のローラ部１０と、ローラ部１０を把持部２０に対して回転可能に取付けるための軸部３０を備えている。そして、ローラ部１０の６つの各面には、粒状の半導体１５が取付けられている。
【００１２】
したがって、把持部２０を手で握ってローラ部１０を皮膚に当て、皮膚に沿ってローラ部１０が転がるように動かすことができる。このとき、ローラ部１０には、粒状の半導体１５が取付けられているので、血行が促進され、筋肉痛、肩こり、皺とり又は育毛に大きな効果を得ることができる。また、ローラ部１０は、その断面が６角形であるために、回転により皮膚に適度な押圧力を与え、贅肉の解消に効果を発揮する。さらに、ローラ部１０を顔面に適した形状等とすることにより、美白な小顔を作り出すことができる。
【００１３】
次に、本発明のローラマッサージ器１について、詳細に説明する。６面を備えた棒状のローラ部１０は、一端側に中空部１１を有し、ここに軸部３０を取付けることができる。他端側は閉塞され、その外表面は滑らかに仕上げられている。そして、軸線と平行に、細長い６つの接触面１２が形成されている。
【００１４】
ローラ部１０は、皮膚に沿って回転することにより贅肉の溜まっている部分に適度な刺激を与えるのであるが、このために適度な重さと形状を備えていることが好ましい。すなわち、ローラ部１０は、アルミ又はこれに近い比重の材質を使用することが好ましく、その長さは５０〜７０ｍｍ程度であることが好ましい。そして、各接触面１２は、８〜１５ｍｍの幅を備えていることが好ましく、隣り合う接触面の角部には、１ｍｍ程度の面取りが滑らかに施されていることが好ましい。
【００１５】
各接触面１２に取付ける粒状の半導体１５は、直径が５〜１０ｍｍの半球状に形成されていることが好ましく、各接触面１２に２〜３個取付けられていることが好ましい。これらの半導体１５の取付方法は、各接触面１２に深さ１ｍｍ程度の円形のザグリを設け、球面を外側に向けて接着等により取付ける。ここで、ザグリの穴径を半導体１５の直径よりも少し大きく形成し、穴の内壁と半導体１５の外周との間にゴムワッシャー１４等を設けると、見栄えが良く、また、皮膚に優しく使い易いものとすることができる。
【００１６】
また、閉塞された端部にも、１個の粒状の半導体１６が取付けられている。半導体１６は、接触面１２の半導体１５よりも少し大粒であることが好ましく、直径を７〜１２ｍｍとすることが好ましい。この半導体１６を備えた端部は、皮膚を強力に押圧することができる。したがって、特に筋肉痛や肩こりが激しい場合に効果を発揮することができる。
【００１７】
半導体１５、１６は、ｐ型半導体であることが好ましい。ｐ型半導体は、例えば、高純度のシリコンに硼素やアルミニウムを微量添加して形成され、ｎ型半導体に比べて、筋肉痛や肩こりの治療に優れており、皺とりや育毛にも有効である。また、ｐ型半導体としては、薄膜として形成されたものが好ましく、シリコン半導体薄膜、ゲルマニウム半導体薄膜、ガリウム燐半導体薄膜、硫化亜鉛半導体薄膜等を使用することができる。これらの中でも、ゲルマニウム半導体薄膜が、特に効果的である。
【００１８】
また、上記の半導体薄膜は、セラミックス、プラスチック、ガラス、又は金属の成型体表面に形成することができる。これら成型体の中でも、セラミックスが好ましく、アルミナ、マグネシア、酸化珪素、酸化チタン等を用いることができる。成型体の形状は、表面が滑らかで皮膚に優しいことが望まれるが、ある程度の刺激を与えることも必要であり、半球状に形成されたものが特に好ましい。
【００１９】
把持部２０は、断面が円形の棒状であり、その直径はローラ部１０の外接円の外形と同程度としている。そして、一端側に中空部２１を有し、ここに軸部３０を取付けることができる。他端側は閉塞され、その外表面は滑らかに仕上げられている。他の形状とすることもできるが、ローラ部１０を皮膚に沿って動かすので、このように単純な形状とする方が扱い易い。
【００２０】
軸部３０は、中央の太軸３１と、太軸３１の一端側でローラ部１０の中空部１１に挿入される細軸３２と、太軸３１の他端側で把持部２０の中空部２１に挿入される中軸３３とで構成されている。ここで、太軸３１、細軸３２及び中軸３３を同一軸線上に設けて、ローラ部１０、把持部２０及び軸部３０が同一の軸芯を持つようにすると、使い易くなるので好ましい。細軸３２の先端部には雌ネジ３４が形成され、ボルト４５を螺合することができる。また、中軸３３の先端部には雌ネジ３５が形成され、ボルト５５を螺合することができる。
【００２１】
細軸３２には、２つのベアリング４１、４２が、スペーサ４３を介して取付けられ、ワッシャー４４及びボルト４５によって固定される。ローラ部１０の中空部１１は、その内周面がベアリング４１、４２の外周面と嵌合するので、ローラ部１０は軸部３０に対して軽やかに回転することになる。
【００２２】
また、中軸３３には、筒状のベアリング５１が取付けられ、ワッシャー５３、５４及びボルト５５で固定される。把持部２０の中空部２１は、その内周面がベアリング５１の外周面と嵌合するので、軸部３０は把持部２０に対して回転することになる。
【００２３】
以上の結果、本発明のローラマッサージ器１は、把持部２０を手で握ってローラ部１０を皮膚に当て、皮膚に沿ってローラ部１０が転がるように動かすことができる。そして、６つの接触面１２によって皮膚が刺激され、これにより贅肉の解消等に効果を発揮する。同時に、接触面１２は粒状の半導体１５を多数備えているので、血行が促進され、筋肉痛、皺とり、育毛等に効果を発揮する。
【図面の簡単な説明】
【００２４】
【図１】本発明のローラマッサージ器の一例を示す平面図である。
【図２】同じく正面図である。
【図３】同じく左側面図である。
【図４】同じく分解斜視図である。
【図５】同じく断面図である。
【符号の説明】
【００２５】
１      ローラマッサージ器
１０    ローラ部
１１、２１    中空部
１２    接触面
１４    ゴムワッシャー
１５、１６    半導体
２０    把持部
３０    軸部
３１    太軸
３２    細軸
３３    中軸
３４、３５    雌ネジ
４１、４２、５１    ベアリング
４３    スペーサ
４４、５３、５４    ワッシャー
４５、５５    ボルト
【図１】
2008119181.tif 000003
【図２】
2008119181.tif 000004
【図３】
2008119181.tif 000005
【図４】
2008119181.tif 000006
【図５】
2008119181.tif 000007